(57)【要約】【課題】    レガシーシステムをＩＰ化するような場合でもデータ伝送が効率的に行えるようにする。【解決手段】    伝送するパケットに含まれるヘッダが、内的付加によるヘッダ又は外的付加によるヘッダかのヘッダ種類を判断するヘッダ種別判断部と、ヘッダ種別判断部による種別判断に応じてセッションＩＤを演算すると共に、当該セッションＩＤとヘッダとを対応付けるヘッダテーブルを作成するオーバヘッド解析部と、セッションＩＤ及びヘッダテーブルに従い伝送するパケットのデータ量を削減処理するデータ作成部と、を備える。【選択図】      図１
2014179844.tif 000002
【特許請求の範囲】
【請求項１】
送信側から受信側にＩＰパケットを伝送するパケット伝送装置であって、
伝送するパケットに含まれるヘッダが、内的付加によるヘッダ又は外的付加によるヘッダかのヘッダ種類を判断するヘッダ種別判断部と、
前記ヘッダ種別判断部による種別判断に応じてセッションＩＤを演算すると共に、当該セッションＩＤと前記ヘッダとを対応付けるヘッダテーブルを作成するオーバヘッド解析部と、
前記セッションＩＤ及び前記ヘッダテーブルに従い伝送する前記パケットのデータ量を削減処理するデータ作成部と、を備えることを特徴とするパケット伝送装置。
【請求項２】
請求項１に記載のパケット伝送装置であって、
前記データ作成部は、前記受信側が前記送信側からの前記データ量が削減されて伝送された伝送データを復元する際に前記ヘッダテーブルに従い復元できるように、当該ヘッダテーブルを前記受信側に送信することを特徴とするパケット伝送装置。
【請求項３】
請求項２に記載のパケット伝送装置であって、
前記オーバヘッド解析部は、伝送するデータのハッシュ値を算出して前記セッションＩＤとすることを特徴とするパケット伝送装置。
【請求項４】
送信側及び受信側が少なくとも請求項１乃至３のいずれか１項に記載の前記パケット伝送装置を備えて、
送信側の前記パケット伝送装置により前記ヘッダテーブルの作成及び伝送データのデータ量削減を行い、受信側の前記パケット伝送装置によりデータ量削減された伝送データを前記ヘッダテーブルに基づき復元することを特徴とするパケット伝送システム。
【請求項５】
送信側から受信側にＩＰパケットを伝送するパケット伝送方法であって、
伝送するパケットに含まれるヘッダが、内的付加によるヘッダ又は外的付加によるヘッダかのヘッダ種類を判断するヘッダ種別判断手順と、
前記ヘッダ種別判断手順により判断された種別判断に応じてセッションＩＤを演算すると共に、当該セッションＩＤと前記ヘッダとを対応付けるヘッダテーブルを作成するオーバヘッド解析手順と、
前記セッションＩＤ及び前記ヘッダテーブルに従い伝送する前記パケットのデータ量を削減処理するデータ作成手順と、を含むことを特徴とするパケット伝送方法。
【請求項６】
請求項５に記載のパケット伝送方法であって、
前記データ作成手順は、前記受信側が前記送信側からの前記データ量が削減されて伝送された伝送データを復元する際に前記ヘッダテーブルに従い復元できるように、当該ヘッダテーブルを前記受信側に送信する手順が含まれることを特徴とするパケット伝送方法。
【請求項７】
請求項６に記載のパケット伝送方法であって、
前記オーバヘッド解析手順は、伝送するデータのハッシュ値を算出して前記セッションＩＤとすることを特徴とするパケット伝送方法。
【発明の詳細な説明】
【技術分野】
【０００１】
本発明は、パケット伝送装置、パケット伝送方法及びパケット伝送システムに関する。
【背景技術】
【０００２】
今日、情報機器においては、小型軽量化、低下価格化、機能充実等の進展が目覚ましい。一方で、ユーザは業務内容に進展に応じて情報機器を更新する必要に迫られることも多々ある。しかし、既存の情報機器で扱っていた情報が、機器更新と共に使えなくなる不都合は、許容されない。そこで、機器の更新に伴い既存の情報を新規機器に伝送して移植することが必要となる。
【０００３】
既存情報の伝送においては、通信手段を用いて行われることがある。このとき、高効率に既存情報を伝送することが好ましい。情報の伝送方法に関する提案として、例えば特表２０１１−５０７４３０号公報に開示されているパケットトランスポートネットワークを介して１つまたは複数のクライアント信号を伝送する技術がある。
【０００４】
そして、１つまたは複数のクライアント信号のパケットは、ネットワークの入口ノードにおいて受信される。これらの受信されたパケットのタイミングを特徴付けるタイミング情報が、決定され、これらの受信されたパケットが、コンテナの中にマッピングされる。このコンテナ、およびこのタイミング情報は、ネットワークを介して伝送される。ネットワークの出口ノードにおいて、これらのパケットが、このコンテナから抽出され、パケットは、伝送されたタイミング情報に基づいて、さらなる伝送のためにタイミング制御される。
【０００５】
通信インフラ（無線帯域）は有限で帯域増加を見込めない状況においても、システムのユーザからＩＰベースの新規システムの更新を実施したいとの要望が多く、ＩＰパケットを効率良く収容し伝送することが出来るかが期待されていた。
【先行技術文献】
【特許文献】
【０００６】
【特許文献１】特表２０１１−５０７４３０号公報
【発明の概要】
【発明が解決しようとする課題】
【０００７】
しかしながら、特表２０１１−５０７４３０号公報にかかるデータの伝送方法を用いても伝送装置に収容するレガシーシステムがＩＰ化された場合には、必要となる伝送容量が増大してしまうため、データ伝送効率が低下する問題が合った。
【０００８】
そこで、本発明の主目的は、レガシーシステムをＩＰ化するような場合でもデータ伝送が効率的に行えるようにしたパケット伝送装置、パケット伝送方法パケット伝送システムを提供することである。
【課題を解決するための手段】
【０００９】
上記課題を解決するため、送信側から受信側にＩＰパケットを伝送するパケット伝送装置に係る発明は、伝送するパケットに含まれるヘッダが、内的付加によるヘッダ又は外的付加によるヘッダかのヘッダ種類を判断するヘッダ種別判断部と、ヘッダ種別判断部による種別判断に応じてセッションＩＤを演算すると共に、当該セッションＩＤとヘッダとを対応付けるヘッダテーブルを作成するオーバヘッド解析部と、セッションＩＤ及びヘッダテーブルに従い伝送するパケットのデータ量を削減処理するデータ作成部と、を備えることを特徴とする。
【００１０】
また、送信側から受信側にＩＰパケットを伝送するパケット伝送方法に係る発明は、伝送するパケットに含まれるヘッダが、内的付加によるヘッダ又は外的付加によるヘッダかのヘッダ種類を判断するヘッダ種別判断手順と、ヘッダ種別判断手順により判断された種別判断に応じてセッションＩＤを演算すると共に、当該セッションＩＤとヘッダとを対応付けるヘッダテーブルを作成するオーバヘッド解析手順と、セッションＩＤ及びヘッダテーブルに従い伝送するパケットのデータ量を削減処理するデータ作成手順と、を含むことを特徴とする。
【発明の効果】
【００１１】
本発明によれば、重複するヘッダ等削除して伝送し、その際に削除下位置及び内容をヘッダテーブルとしてデータ伝送に先立ち伝送するので、効率的なデータ伝送が可能になる。
【図面の簡単な説明】
【００１２】
【図１】本発明に係るパケット伝送装置を用いたパケット伝送システムのブロック図である。
【図２】パケット伝送装置の詳細ブロック図である。
【図３】オーバヘッド解析ユニットの詳細ブロック図である。
【図４】データ量削減処理の内容を例示したテーブルである。
【図５】ヘッダテーブルを例示した図である。
【図６】ヘッダ項目＿１に対するデータ量削減処理を説明する図である。
【図７】ヘッダ項目＿２に対するデータ量削減処理を説明する図である。
【図８】ヘッダ項目＿３に対するデータ量削減処理を説明する図である。
【図９】ＩＰパケットにおけるヘッダの仕様を示す図である。
【図１０】ヘッダ項目＿４に対するデータ量削減処理を説明する図である。
【図１１】ヘッダ項目＿４に対するデータ量削減処理前後のデータフォーマットを例示した図である。
【図１２】ヘッダ項目＿５に対するデータ量削減処理を説明する図である。
【図１３】ヘッダ項目＿６に対するデータ量削減処理を説明する図である。
【図１４】ヘッダ項目＿７に対するデータ量削減処理を説明する図である。
【図１５】データ伝送手順を示すフローチャートである。
【発明を実施するための形態】
【００１３】
＜第１実施形態＞
本発明の実施形態を説明する。図１は、本発明に係るパケット伝送装置３（３Ａ，３Ｂ）を用いたパケット伝送システム２のブロック図である。
【００１４】
パケット伝送システム２は、パケット伝送装置３（３Ａ，３Ｂ）、情報機器４（４Ａ，４Ｂ）、無線装置５（５Ａ，５Ｂ）を基本構成としている。以下、パケット伝送装置３Ａのように総括番号「３」に「Ａ」を付して送信側の要素を示し、「Ｂ」を付けて受信側の要素を示すものとする。また、送信側と受信側との構成は、同じ構成なので共通する説明は総括番号を用いて説明する。
【００１５】
図２は、パケット伝送装置３の詳細ブロック図である。パケット伝送装置３は、受信部３１（３１Ａ、３１Ｂ）、ヘッダ種別判定部３２（３２Ａ，３２Ｂ）、オーバヘッド解析ユニット３３（３３Ａ，３３Ｂ）、データ作成部３４（３４Ａ，３４Ｂ）、ヘッダ情報記憶部３５（３５Ａ，３５Ｂ）、送信部３６（３６Ａ，３６Ｂ）を備える。
【００１６】
また、図３はオーバヘッド解析ユニット３３の詳細ブロック図である。オーバヘッド解析ユニット３３は、内部ヘッダ解析部４１（４１Ａ，４１Ｂ）、外部ヘッダ解析部４２（４２Ａ，４２Ｂ）、ヘッダテーブル作成部４３（４３Ａ，４３Ｂ）を備える。
【００１７】
このような構成で、データ送信側のパケット伝送装置３Ａは、伝送データに含まれるヘッダの圧縮、削除（一部又は全て）、共有化等によりデータ量の削減を行う。以下、このような処理を総称して、データ量削減処理と記載する。このとき、当然のことながらデータ受信側において、元のデータに復元できる必要がある。即ち、データの削減・復元に関してのルールが設定されている。
【００１８】
このルールは、個別的なルール（個別処理ルール）と総括的なルール（共通処理ルール）がある。個別処理ルールは、受信側の要求に応じた内容で削減を行う場合に利用される取決めであり、共通処理ルールは、ＩＰプロトコルに従って決められたルールのように、パケット伝送システム２に共通の取決めである。これらのルールは、ヘッダ情報記憶部３５に登録されて、データ量削減処理やデータ復元処理を行う際に読出される。
【００１９】
図４は、データ量削減処理の内容を例示したテーブルである。なお、データ復元処理もデータ量削減処理と同様の処理内容であり、データ量削減処理における削減処理を復元処理と読替えればよいので省略する。
【００２０】
図４に示すように、パケットに含まれるヘッダは、内的付加オーバヘッドＧ１と外的付加オーバヘッドＧ２とに分けることができる。
【００２１】
内的付加オーバヘッドＧ１のヘッダに対しては、（項目＿１）Ｐ−Ｐ接続に特化したオーバヘッドの削減、（項目＿２）独自仕様によるオーバヘッドの削減、（項目＿３）複数ＶｏＩＰパケットをＧＦＰでカプセル化による削減が行われる。また、外的付加オーバヘッドＧ２に含まれるヘッダに対しては、（項目＿４）ＭＡＣヘッダの圧縮、（項目＿５）ＩＰヘッダの圧縮、（項目＿６）ＵＤＰヘッダ圧縮、（項目＿７）ＲＴＰヘッダ圧縮が行われる。項目＿１、項目＿２は、個別処理ルールに従い、項目＿３〜項目＿７は共通処理ルールに従って処理される。
【００２２】
以下、項目＿１〜項目＿７をヘッダ項目、個別処理ルール及び共通処理ルールを処理ルールと適宜記載する。
【００２３】
そして、ヘッダ種別判断部３２は、ヘッダが内的付加オーバヘッドＧ１と外的付加オーバヘッドＧ２とのいずれに該当するかの判定を行う。種別判定に対応して、オーバヘッド解析ユニット３３は、いずれのヘッダ項目に該当するかの判断やデータ量削減を行ったときのセッションＩＤの算出及びヘッダテーブルの作成を行う。
【００２４】
なお、セッションＩＤは、パケットのセッション単位を識別するためのユニークな値であり、ＭＡＣアドレス、ＩＰアドレス、ＵＤＰヘッダ及びＲＴＰヘッダのハッシュ値を演算することにより算出される。また、ヘッダテーブルは、図５に示すようにセッションＩＤと生ヘッダ（入力したデータ量削減・復元処理前のデータ）とからなるヘッダテーブルを作成する。
【００２５】
そして、セッションＩＤの算出は、内部ヘッダ解析部４１及び外部ヘッダ解析部４２の解析結果を用いてヘッダテーブル作成部４３が行う。データ作成部３４は、ヘッダテーブルに従いヘッダ情報記憶部３５にアクセスして登録されている処理ルールを検索して、検索結果に従いデータの削減（復元）を行う。
【００２６】
オーバヘッド解析ユニット３３の詳細な説明を行う。オーバヘッド解析ユニット３３の内部ヘッダ解析部４１は、内的付加オーバヘッドＧ１に関しての解析処理を行い、外部ヘッダ解析部４２は外的付加オーバヘッドＧ２に関しの解析処理を行う。
【００２７】
内部ヘッダ解析部４１は、入力したパケットのヘッダがヘッダ項目＿３か、ヘッダ項目＿１又はヘッダ項目＿２かのいずれであるかについて判断する。ヘッダ項目＿１，ヘッダ項目＿２の場合は、ヘッダ情報記憶部３５から個別処理ルールを取得して出力する。また、ヘッダ項目＿３の場合は、共通処理ルールを取得して出力する。一方、外部ヘッダ解析部４２は、ヘッダがヘッダ項目＿４〜ヘッダ項目＿７のいずれに該当するか否かを判断し、該当ヘッダ項目に関する共通処理ルールを取得して出力する。これらの解析は、該当するヘッダのアドレス等の位置から判断することが可能である。
【００２８】
そして、ヘッダテーブル作成部４３は、内部ヘッダ解析部４１及び外部ヘッダ解析部４２からの解析結果に基づき、セッションＩＤを算出すると共に、図５に示したヘッダテーブルを作成する。
【００２９】
即ち、本実施形態におけるデータ量削減処理は、ヘッダ項目を削除し、その位置を示すセッションＩＤと削除したヘッダ（生ヘッダに対応）とを纏めて伝送することにより、例えば重複して用いられているヘッダの繰返し伝送を避けることで、伝送時間の短縮化を図っている。
【００３０】
データ作成部３４は、ヘッダテーブル作成部４３で作成されたヘッダテーブルに基づき伝送するデータに対してデータ量削減処理を実行することにより伝送データを作成する。
【００３１】
その後、伝送データはセッションＩＤと共に無線装置５Ａを介して無線装置５Ｂに送られる。無線装置５Ｂで受信された伝送データは、パケット伝送装置３Ｂにおいてデータ復元処理により復元されて情報機器４Ｂに出力される。
【００３２】
データ量削減処理は以下のようにして行う。
［Ａ］  内的付加オーバヘッドに対するデータ量削減処理
ヘッダテーブル作成部４３は、個別処理ルールに従いヘッダ項目＿１のヘッダに対してＰ−Ｐ接続に特化したオーバヘッドの削減を行い、ヘッダ項目＿２のヘッダに対して独自仕様によるオーバヘッドの削減を行う。一方、ヘッダ項目＿３のヘッダに対しては複数ＶｏＩＰパケットをＧＦＰでカプセル化による削減を行う。
【００３３】
（ａ）ヘッダ項目＿１に対するデータ量削減処理（Ｐ−Ｐ接続に特化したオーバヘッドの削減処理）
図６は、ＧＦＰオーバヘッドにおいて、Ｐ−Ｐ接続及びマルチポイント接続それぞれに関係するヘッダを示した図である。本実施形態では、マルチポイント接続（１２バイト）を削減して、Ｐ−Ｐ接続に特化することにより、ヘッダ項目＿１を実現する。
【００３４】
（ｂ）ヘッダ項目＿２に対するデータ量削減処理（独自仕様によるオーバヘッドの削減処理）
図７は、ＧＦＰオーバヘッドにおけるＰ−Ｐ接続に関するヘッダを示した図である。送信側と受信側とのパケット伝送装置は同一仕様であり、またペイロード種別も固定なので他ＰＫＧと相互接続しない場合に不要となるヘッダを削除する。なお、ＣＯＲＥヘッダは同期を取るため必要であるため、削除できない。これによりヘッダ項目＿２を実現する。
【００３５】
（ｃ）ヘッダ項目＿３に対するデータ量削減処理（複数ＶｏＩＰパケットをＧＦＰでカプセル化による削減処理）
図８は、ＶｏＩＰパケットの仕様を示した図である。１つのＶｏＩＰパケットに対して１つのＧＦＰのヘッダが設けられている。本実施形態においは、キューに溜まっているＶｏＩＰパケットを１つのＧＦＰヘッダで纏めることによりカプセル化する。このときカプセル化対象とするＶｏＩＰパケット数は、特に限定しないが１〜１０程度が例示できる。これにより複数のＧＦＰヘッダに対するヘッダ項目＿３のデータ量を削減する。
［Ｂ］  外的付加オーバヘッドに対するデータ量削減処理
外部ヘッダ解析部４２は、パケットのヘッダを解析してヘッダ項目＿４〜ヘッダ項目＿７のデータ量削減処理を行う。ＲＦＣ２５０８に規定されているＩＰパケットは、図９に示すように、ヘッダ項目＿４が削減対象とする１４バイトのＭＡＣヘッダ、ヘッダ項目＿５が削減対象とする２０バイトのＩＰヘッダ、ヘッダ項目＿６が削減対象とする８バイトのＵＰＤヘッダ、ヘッダ項目＿７が削減対象とする１２バイトのＲＴＰヘッダ、１６０バイトの音声データ、４バイトのＦＣＳが含まれる。
【００３６】
（ａ）ヘッダ項目＿４に対するデータ量削減処理（ＭＡＣヘッダ圧縮処理）
ＭＡＣヘッダは、図１０に示すように、宛先ＭＡＣアドレス、送信元ＭＡＣアドレス、タイプ／サイズ、ＦＣＳが含まれる。宛先ＭＡＣアドレス及び送信元ＭＡＣアドレスは、６バイトで同一セッションでは値が繰返される。タイプ／サイズは２バイトのデータであり、タイプは同一セッションでは値が繰返され、サイズはＧＦＰのサイズから計算可能である。ＦＣＳは４バイトであり、毎回異なる値である。そこで、繰返される場合や計算できる場合は、繰返し規則及び計算式により削減しても復元することが可能である。
【００３７】
例えば、図１１に示すように、ＶｏＩＰで通話が行なわれた場合、通話中はＭＡＣアドレス、ＩＰアドレス等は同一値が繰り返し付与されるので、データ量削減処理においては、繰返し付与されたＭＡＣアドレスをバイト数の少ないセッションＩＤに置換える。従って、復元する際には、このセッションＩＤの位置にＭＡＣアドレス、ＩＰアドレス等の値を入れることで、復元することが可能になる。図１１において、各パケットのヘッダＨａは繰返されているので、２回目以降はセッションＩＤで置換えることでデータ量の削減を行っている。そして、復元する際には、このセッションＩＤの位置に一回目のパケットのヘッダを挿入して復元している。
【００３８】
（ｂ）ヘッダ項目＿５に対するデータ量削減処理（ＩＰヘッダ圧縮処理）
図１２は、ＩＰヘッダのフォーマットを示した図である。ＩＰヘッダには、バージョン情報、ヘッダ長等のように値が繰り返されるデータ、データ長、ヘッダチェックサムのように計算できるデータ、オプションのように任意の値のデータが含まれる。そこで、データ量削減処理では、繰返されるデータや計算できるデータ（最大２０バイト）を削減する。
【００３９】
（ｃ）ヘッダ項目＿６に対するデータ量削減処理（ＵＤＰヘッダ圧縮処理）
図１３は、ＵＤＰヘッダのフォーマットを示した図である。このＵＤＰヘッダにも値が繰返される送信元ポート番号等が含まれると共に、計算できるＵＤＰ長が含まれる。そこで、データ量削減処理では、繰返されるデータや計算できるデータ（最大８バイト）を削減する。
【００４０】
（ｄ）ヘッダ項目＿７に対するデータ量削減処理（ＲＴＰヘッダ圧縮処理）
図１４は、ＲＴＰヘッダのフォーマットを示した図である。このＲＴＰヘッダには、固定値のバージョン等のデータ、値が繰返されるシーケンス番号等が含まれると共に、マーカのようにＶｏＩＰ装置に依存するデータが含まれる。そこで、データ量削減処理では、固定値のデータや値が繰返されるデータ（最大８バイト）を削減する。
【００４１】
このようにしてデータ量の削減を行う。なお、例えば、バージョンとパディング有無との区別を行う（セクション識別）が必要となり、その情報を元にヘッダテーブルを保持し、圧縮・伸張側でヘッダテーブルの同期を行う。
【００４２】
次に、このようなパケット伝送システム２におけるデータ伝送手順を図１５に示すフローチャートを参照して詳細に説明する。
【００４３】
ステップＳ１，Ｓ２：  情報機器４Ａから伝送データがパケット伝送装置３Ａに入力する。パケット伝送装置３Ａは、後述する手順を経てセッションＩＤを通知済か否かを判断する。このセッションＩＤが通知済であることは、当該パケットに対してデータ量削減処理が行われた伝送データの送信が行われていることを意味している。ＩＤが通知済の場合は、パケット転送中を意味するので、ステップＳ７に進むが、未通知の場合はステップＳ３に進む。
【００４４】
ステップＳ３〜Ｓ５：  オーバヘッド解析ユニット３３Ａのヘッダテーブル作成部４３Ａは、内部ヘッダ解析部４１Ａ及び外部ヘッダ解析部４２Ａによる対象ヘッダのヘッダ項目及び処理ルールに従いセッションＩＤを演算すると共にヘッダテーブルを作成する。そして、セッションＩＤ、生ヘッダ、ペイロードを送信する。
【００４５】
ステップＳ６〜Ｓ９：  受信側のパケット伝送装置３Ｂは、パケット伝送装置３ＡからのセッションＩＤ、生ヘッダ、ペイロードを受信すると、受信したセッションＩＤが既存のＩＤであるか否かを判断する。既存のセッションＩＤの場合にはステップＳ９に進み受信応答信号を出力する。しかし、既存のセッションＩＤでない場合には、セッションＩＤ及び生ヘッダのヘッダテーブルを内部メモリ等に一次記憶して、ステップＳ９に進み受信応答信号を出力する。
【００４６】
ステップＳ１０：  送信側のパケット伝送装置３Ａは受信側のパケット伝送装置３Ｂからの応答信号を受信すると、ヘッダテーブルを内部メモリ等に一次記憶する。
【００４７】
ステップＳ１１，Ｓ１２：  その後、一次記憶したヘッダテーブルに従いデータ量削減処理を行うことにより伝送データを作成して受信側のパケット伝送装置３Ｂに送信する。パケット伝送装置３Ｂは、受信した伝送データを一次記憶しているヘッダテーブルに従い復元して出力する。
【００４８】
以上説明したように、重複するヘッダの削除等を行うデータ量削減処理により伝送データ量を少なくしたので、効率的なデータ伝送が行えるようになる。
【符号の説明】
【００４９】
２    パケット伝送システム
３（３Ａ、３Ｂ）    パケット伝送装置
４（４ａ、４Ｂ）    情報機器
５（５Ａ，５Ｂ）    無線装置
３１（３１Ａ、３１Ｂ）  受信部
３２（３２Ａ、３２Ｂ）    ヘッダ種別判断部
３３（３３Ａ，３３Ｂ）    オーバヘッド解析ユニット
３４（３４Ａ，３４Ｂ）    データ作成部
３５（３５Ａ，３５Ｂ）    ヘッダ情報記憶部
３６（３６Ａ，３６Ｂ）    送信部
【図１】
2014179844.tif 000003
【図２】
2014179844.tif 000004
【図３】
2014179844.tif 000005
【図４】
2014179844.tif 000006
【図５】
2014179844.tif 000007
【図６】
2014179844.tif 000008
【図７】
2014179844.tif 000009
【図８】
2014179844.tif 000010
【図９】
2014179844.tif 000011
【図１０】
2014179844.tif 000012
【図１１】
2014179844.tif 000013
【図１２】
2014179844.tif 000014
【図１３】
2014179844.tif 000015
【図１４】
2014179844.tif 000016
【図１５】
2014179844.tif 000017